(57)【要約】【課題】塗付チップが肌面に押付けられる場合の肌反力を極力小さくして、柔軟でソフトな肌触り感を発揮できる使い勝手に優れた化粧ブラシを提供する。【解決手段】本発明に係る化粧ブラシは、ブラシボディ１と塗付チップ２とを備える。塗付チップ２は、エラストマー材で扁平板状に形成されるチップ本体４と、チップ本体４の外面に静電植毛加工を施して形成される塗付層５とを備える。チップ本体４に一対の塗付面６が設けられており、塗付面６のそれぞれに幅方向に連続する複数の溝部７が形成されている。一方の塗付面６に形成される溝部７と、他方の塗付面６に形成される溝部７とは、互い違い状に凹み形成されている。チップ本体４はチップ基端４ａ側で厚く、チップ先端４ｂに近づくほど薄く形成されており、溝部７は、塗付チップ２の厚み中心を通る仮想中心軸線Ｐと直交する直線溝で形成する。【選択図】図１
2020025722.tif 000002
【特許請求の範囲】
【請求項１】
ブラシボディ（１）と、ブラシボディ（１）で固定支持される塗付チップ（２）とを備えており、
塗付チップ（２）は、弾性に富むエラストマーを素材にして扁平板状に形成されるチップ本体（４）と、チップ本体（４）の外面に静電植毛加工を施して形成される塗付層（５）とを備えており、
チップ本体（４）には一対の塗付面（６）が設けられており、塗付面（６）のそれぞれに幅方向に連続する複数の溝部（７）が形成されていることを特徴とする化粧ブラシ。
【請求項２】
チップ本体（４）がチップ基端（４ａ）側で厚く、チップ先端（４ｂ）に近づくほど薄く形成されている請求項１に記載の化粧ブラシ。
【請求項３】
一方の塗付面（６）に形成される溝部（７）と、他方の塗付面（６）に形成される溝部（７）のそれぞれが、塗付チップ（２）の厚み中心を通る仮想中心軸線（Ｐ）と直交する直線溝で形成されている請求項１、または２に記載の化粧ブラシ。
【請求項４】
塗付面（６）と正対する側から見て、溝部（７）が山谷状ないし連続波形状に形成してある請求項１、または２に記載の化粧ブラシ。
【請求項５】
一方の塗付面（６）に形成される溝部（７）と、他方の塗付面（６）に形成される溝部（７）とが、互い違い状に凹み形成されている請求項１から４のいずれかひとつに記載の化粧ブラシ。
【請求項６】
一対の塗付面（６）のそれぞれが、塗付チップ（２）の厚み中心を通る仮想中心軸線（Ｐ）に対して、同じ角度で傾斜するように形成されている請求項２から５のいずれかひとつに記載の化粧ブラシ。
【請求項７】
一対の塗付面（６）に形成される複数の溝部（７）が、チップ基端（４ａ）からチップ先端（４ｂ）寄りにわたって形成されており、
チップ本体（４）のチップ先端（４ｂ）と、チップ先端（４ｂ）寄りの溝部（７）との間に、面状の仕上げ塗付面（８）が形成されている請求項１から６のいずれかひとつに記載の化粧ブラシ。
【発明の詳細な説明】
【技術分野】
【０００１】
本発明は、チークブラシやフェイスブラシ、あるいはシャドウブラシとして使用されるチップ構造の化粧ブラシに関する。
【背景技術】
【０００２】
チップ構造の化粧ブラシは、例えば特許文献１に開示されている。特許文献１の化粧ブラシは支持具と、支持具に装着されるチップ構造の塗付体を備えている。塗付体は発泡ウレタンなどの弾性発泡材からなる芯材と、芯材の外面に配置される塗付要素と、芯材の内部に配置される保形体などで構成される。塗付要素は、ベルベットやパイル生地などの起毛生地を袋状に縫着、ないし熱溶着して形成されており、起毛面が露出する状態で芯材に装着されている。保形体は、プラスチック材を扁平な棒状に成形して形成されており、塗付体が過剰に変形するのを防いで、外形を適正な状態に保持するために設けられている。化粧ブラシを使用する場合には、固形あるいは半固形の化粧材の表面を起毛面で払拭して、粉状の化粧材を起毛面に保持させ、さらに起毛面で顔肌を払拭することにより粉状の化粧材を顔肌に塗付する。
【先行技術文献】
【特許文献】
【０００３】
【特許文献１】特開２０１０−５７７９１号公報
【発明の概要】
【発明が解決しようとする課題】
【０００４】
特許文献１の化粧ブラシは、ブラシ穂が獣毛を束ねて形成された筆構造の化粧ブラシに比べて低コスト化できるうえ、化粧ブラシの用途に応じた外形形状に設定できる利点がある。しかし、芯材の内部に変形防止用の保形体が設けられているため、塗付体の起毛面が肌に押付けられる場合に肌反力が大きくなることが避けられず、筆構造の化粧ブラシのような柔軟でソフトな肌触り感が得られにくい。
【０００５】
本発明の目的は、塗付チップが肌面に押付けられる場合の肌反力を極力小さくして、柔軟でソフトな肌触り感を発揮できる使い勝手に優れた化粧ブラシを提供することにある。
【課題を解決するための手段】
【０００６】
本発明に係る化粧ブラシは、ブラシボディ１と、ブラシボディ１で固定支持される塗付チップ２を備えている。塗付チップ２は、弾性に富むエラストマーを素材にして扁平板状に形成されるチップ本体４と、チップ本体４の外面に静電植毛加工を施して形成される塗付層５を備えている。チップ本体４には一対の塗付面６が設けられており、塗付面６のそれぞれに幅方向に連続する複数の溝部７が形成されていることを特徴とする。
【０００７】
図１に示すように、チップ本体４はチップ基端４ａ側で厚く、チップ先端４ｂに近づくほど薄く形成されている形態を採ることができる。
【０００８】
一方の塗付面６に形成される溝部７と、他方の塗付面６に形成される溝部７のそれぞれが、塗付チップ２の厚み中心を通る仮想中心軸線Ｐと直交する直線溝で形成されている形態を採ることができる。
【０００９】
塗付面６と正対する側から見て、溝部７は山谷状ないし連続波形状に形成することができる（図５参照）。
【００１０】
一方の塗付面６に形成される溝部７と、他方の塗付面６に形成される溝部７とは、互い違い状に凹み形成することができる（図１参照）。
【００１１】
一対の塗付面６のそれぞれは、塗付チップ２の厚み中心を通る仮想中心軸線Ｐに対して、同じ角度で傾斜するように形成されている形態を採ることができる（図１参照）。
【００１２】
一対の塗付面６に形成される複数の溝部７は、チップ基端４ａ側からチップ先端４ｂ寄りにわたって形成されており、チップ本体４のチップ先端４ｂと、チップ先端４ｂ寄りの溝部７との間に、面状の仕上げ塗付面８が形成されている形態を採ることができる（図２参照）。
【発明の効果】
【００１３】
本発明に係る化粧ブラシでは、塗付チップ２をエラストマー材で扁平板状に形成されるチップ本体４と、チップ本体４の外面に静電植毛加工を施して形成される塗付層５で構成し、チップ本体４の一対の塗付面６のそれぞれに複数の溝部７を形成するようにした。こうした化粧ブラシによれば、塗付層５に保持されている化粧材を顔肌に塗付する場合に、肌反力を受けたチップ本体４が複数の溝部７で屈曲することにより、チップ本体４の全体を容易に湾曲変形させることができる。また、チップ本体４が湾曲変形することで、塗付チップ２に作用する肌反力を吸収し軽減させることができる。従って、従来のチップ構造の化粧ブラシに比べて、柔軟でソフトな肌触り感を発揮できる使い勝手に優れた化粧ブラシを提供できる。また、塗付チップ２の塗付面６に複数の溝部７を形成したので、化粧材を塗付層５に保持させる場合に、塗付面６と各溝部７の隣接縁で化粧材を効果的に削ぎ取って、充分な量の化粧材を塗付層５に容易に保持させることができる。とくに、固形の化粧材を化粧ブラシに保持させる場合に、化粧材を効率良く、しかも軽やかに粉化して、粉化された充分な量の化粧材を塗付層５に速やかに保持させることができる。
【００１４】
チップ本体４はチップ基端４ａ側で厚く、チップ先端４ｂに近づくほど薄く形成するようにした。こうした化粧ブラシによれば、チップ本体４をチップ基端４ａ側では曲がりにくくし、チップ先端４ｂに近づくほど変形抵抗を小さくして、曲がりやすくすることができる。また、化粧材を顔肌に塗付する場合には、チップ本体４の中途部からチップ先端４ｂの間の塗付層５で顔肌を払拭して化粧材を塗付することが多いので、肌反力を受けたチップ本体４の湾曲変形を促進して、塗付チップ２に作用する肌反力を吸収し軽減させることができる。従って、チップ本体４が、チップ基端４ａ側からチップ先端４ｂにわたって均一な厚みに形成してある場合に比べて、チップ本体４をより小さな肌反力で湾曲変形させて、化粧ブラシの肌触り感をさらに柔軟でソフトなものとすることができる。
【００１５】
各塗付面６に形成される溝部７は、塗付チップ２の厚み中心を通る仮想中心軸線Ｐと直交する直線溝で形成するようにした。こうした化粧ブラシによれば、肌反力を各塗付面６とほぼ直交する向きに作用させて、チップ本体４を各溝部７において整然と屈曲させることができる。従って、チップ本体４が湾曲変形するときの肌反力を最小限化して、化粧ブラシの肌触り感をさらに柔軟でソフトなものとすることができる。なお、例えば複数の溝部７が仮想中心軸線Ｐに対して斜めに交差する状態で形成してある場合には、各溝部７と塗付面６を同時に湾曲させる必要があるので、塗付チップ２に作用する肌反力が、塗付面６の湾曲抵抗の分だけ大きくなることが避けられない。
【００１６】
溝部７が山谷状ないし連続波形状に形成されていると、溝部７が直線溝で形成されている場合に比べて、塗付面６における溝部７の全長を大きくできるので、固形の化粧材を溝部７で効果的に削ぎ取って、粉状の化粧材をさらに効果的に塗付層５に保持させることができる。また、チップ本体４が肌反力を受けて湾曲変形するとき、溝部７と塗付面６が同時に湾曲するので、その分だけ化粧ブラシの腰を強くすることができる。従って、柔軟でソフトな肌触り感をある程度備えていながら、腰の強い化粧ブラシを望むユーザーの好みに対応することができる。
【００１７】
一方の塗付面６に形成される溝部７と、他方の塗付面６に形成される溝部７とが、互い違い状に凹み形成されていると、化粧材を顔肌に塗付するとき、顔肌に接していない側の塗付面６では各溝部７を屈曲収縮させ、顔肌に接している側の塗付面６では各溝部７を拡開させた状態で、チップ本体４を整然と湾曲させることができる。また、屈曲収縮する各溝部７によって、湾曲変形するチップ本体４の肌触り感を柔軟でソフトなものとしながら、拡開状に変形する各溝部７の変形応力で、湾曲変形するチップ本体４に適度の腰の強さを付与することができる。従って、化粧材の顔肌への塗付を、柔軟でソフトな肌触り感を発揮しながら、メリハリの利いた状態で適確に、しかも手早く行うことができる。因みに、一方の塗付面６に形成される溝部７と、他方の塗付面６に形成される溝部７が対向状に形成されている場合には、対向する溝部７の間の肉厚が必要以上に小さくなる。そのため、肌反力を受けたチップ本体４は、顔肌に最も近い位置にある溝部７で折れ曲がりやすくなり、化粧材を顔肌に適確に塗付し、塗り延ばすことが困難となる。
【００１８】
一対の塗付面６のそれぞれは、塗付チップ２の厚み中心を通る仮想中心軸線Ｐに対して、同じ角度で傾斜するように形成した。こうした化粧ブラシによれば、チップ本体４を前後に均等に湾曲変形させることができるので、使用者は前側の塗付層５と後側の塗付層５を意識しながら区別して使用する必要がなく、どちらの塗付層５であっても、粉状の化粧材を均等に保持させて顔肌に塗付できる。
【００１９】
チップ本体４のチップ先端４ｂと、チップ先端４ｂ寄りの溝部７との間に、面状の仕上げ塗付面８を形成するようにした。こうした化粧ブラシによれば、顔肌に塗付された粉状の化粧材の塗付部に沿って、仕上げ塗付面８で顔肌を優しく払拭することにより、化粧材の塗付むらをなくすことができる。さらに、粉状の化粧材の塗付部の周縁に沿って、仕上げ塗付面８で顔肌を優しく払拭することにより、化粧材の塗付部の輪郭をぼかして、違和感のない自然な塗付状態に仕上げることができる。
【図面の簡単な説明】
【００２０】
【図１】本発明の実施例１に係る化粧ブラシを示す、図２におけるＡ−Ａ線断面図である。
【図２】実施例１に係る化粧ブラシの正面図である。
【図３】チップ本体の斜視図である。
【図４】化粧ブラシの使用状態を示す説明図である。
【図５】本発明の実施例２に係る化粧ブラシの一部破断正面図である。
【図６】本発明の実施例３に係る化粧ブラシの一部破断正面図である。
【図７】本発明の実施例４に係る化粧ブラシの縦断側面図である。
【図８】本発明の実施例５に係る化粧ブラシの縦断側面図である。
【図９】本発明の実施例６に係る化粧ブラシを示す、要部の縦断側面図である。
【発明を実施するための形態】
【００２１】
（実施例１）  図１から図４に、本発明に係る化粧ブラシをチークブラシに適用した実施例１を示す。本発明における前後、左右、上下とは、図１および図２に示す交差矢印と、各矢印の近傍に表記した前後、左右、上下の表記に従う。図２において、チークブラシはプラスチック成型品からなるブラシボディ１と、ブラシボディ１の下端部に固定される塗付チップ２とを備える。図２および図４に示すようにブラシボディ１は、親指と人差し指でつまむのに適した前後厚みが５〜６ｍｍの縦長四角形状に形成されており、その下部に塗付チップ２を固定するための取付け穴３が凹み形成されている。
【００２２】
塗付チップ２は、弾性に富むエラストマーを素材にして扁平板状に形成されるチップ本体４と、チップ本体４の外面に形成される塗付層５で構成される。弾性に富むエラストマーとしてはウレタンゴムやシリコーンゴムが適している。チップ本体４は、その正面視形状が花弁状に形成されており、肌触りを柔らかくするために下端縁が下突湾曲状に丸められている。チップ本体４の前面および後面はそれぞれ塗付面６になっており、各塗付面６に形成された塗付層５で化粧材を保持することができる。塗付層５は、チップ本体４に静電植毛加工を施して形成されており、植毛材としてはシルクパイル、獣毛パイルなどの肌触りに優れた天然材の短繊維を使用するのが好ましいが、必要があればナイロンパイルなどの化学繊維材の短繊維を使用してもよい。
【００２３】
塗付チップ２を顔肌に押付けて化粧材を塗付する場合の肌反力を極力小さくして、柔軟でソフトな肌触り感を発揮できるようにするために、チップ本体４の前後厚みは、チップ基端４ａ側で厚く、チップ先端４ｂに近づくほど薄くなるように形成されている。さらに、塗付チップ２の前後一対の塗付面６のそれぞれに、塗付面６の幅方向に連続する複数の溝部７が形成されている。前後の塗付面６における溝部７は、チップ基端４ａからチップ先端４ｂ寄りにわたって５個ずつ形成されており、チップ先端４ｂとチップ先端４ｂ寄りの最下部の溝部７との間に、面状の仕上げ塗付面８が形成されている。塗付層５を形成する先の短繊維は、塗付面６および溝部７の表面全体にわたって起毛状に固定されている（図１の拡大図参照）。
【００２４】
図１に示すように、一対の塗付面６は、塗付チップ２の厚み中心を通る仮想中心軸線Ｐに対して同じ角度（５度）で傾斜されており、チップ本体４を前後に均等に湾曲変形することができるように構成されている。ここでは、チップ本体４のチップ基端４ａにおける前後厚みは５ｍｍとしている。図３に示すように、前側の塗付面６に形成される溝部７と後側の塗付面６に形成される溝部７のそれぞれは、先の仮想中心軸線Ｐと直交する直線溝で形成されている。さらに、前側の塗付面６に形成される溝部７と後側の塗付面６に形成される溝部７の形成位置を溝ピッチＭ（３ｍｍ）の半分だけ上下にずらせて、前側の溝部７と後側の溝部７を互い違い状に凹み形成している。溝部７の塗付面６からの凹み深さＤは１ｍｍとする。各溝部７の形成位置が溝ピッチＭの半分だけずらしてあるので、前側の仕上げ塗付面８の上下長さは、後側の仕上げ塗付面８の上下長さより僅かに長くなっている。上記のように、前後の塗付面６に複数の溝部７を形成することにより、チップ本体４の厚み方向への曲げ変形を促進し、かつ化粧材を効果的に削ぎ取ることができる。
【００２５】
以上のように構成した塗付チップ２は、その上端に設けた装着部９をブラシボディ１の取付け穴３に嵌め込んで接着剤で固定することにより、ブラシボディ１と一体化される。なお、装着部９には塗付層５は形成されていない。ブラシボディ１の下端から塗付チップ２の下端までの上下長さは２１ｍｍとする。以上のように構成した化粧ブラシは、例えば固形の化粧材が充填されたパウダーファンデーションコンパクトの内部に設けた収納凹部に収容される。従って、化粧材を顔肌に塗付する場合には、コンパクト容器の蓋を開放するだけで直ちに使用することができる。また、化粧材容器と化粧ブラシを化粧ポーチなどに別々に収納する場合には、ブラシボディ１に着脱されるキャップで塗付チップ２の外周面を覆って保護すればよい。
【００２６】
化粧ブラシを使用するときは、塗付チップ２の塗付層５および塗付面６を、固形の化粧材の表面に密着させながら払拭して、粉状の化粧材を塗付層５および溝部７に保持させる。このとき、各溝部７と塗付面６の隣接縁と化粧材の表面の間に大きな摩擦力が発生するので、固形の化粧材から、粉状の化粧材を効果的に塗付層５および溝部７に保持させることができる。また、塗付層５がシルクパイルで形成してある場合には、シルクパイルの断面が略三角形になっているので、粉状の化粧材をさらに効果的に生成させて塗付層５に保持させることができる。
【００２７】
化粧ブラシは図４に示すように、化粧材が保持された塗付層５の側を、化粧下地が塗ってある顔肌に沿って滑らせて、塗付層５に保持されていた粉状の化粧材を顔肌に塗付する。このように、粉状の化粧材を顔肌に塗付する場合には、前後厚みが小さなチップ先端４ｂ側を顔肌に密着させた状態で、塗付チップ２の全体を大きく湾曲変形させることができる。詳しくは、顔肌に接していない側の溝部７が収縮し、顔肌に接している側の溝部７が拡開した状態で、塗付チップ２の全体を大きく湾曲変形させることができる。
【００２８】
以上のように実施例１では、塗付チップ２をエラストマー材で扁平板状に形成されるチップ本体４と、チップ本体４の外面に静電植毛加工を施して形成される塗付層５で構成した。また、チップ本体４の一対の塗付面６のそれぞれに複数の溝部７を形成するようにした。こうしたチークブラシによれば、塗付層５に保持されている化粧材を顔肌に塗付する場合に、肌反力を受けたチップ本体４が複数の溝部７で屈曲することにより、チップ本体４の全体を容易に湾曲変形させることができる。また、チップ本体４が湾曲変形することで、塗付チップ２に作用する肌反力を吸収し軽減させることができる。従って、従来のチップ構造の化粧ブラシに比べて、柔軟でソフトな肌触り感を発揮できる使い勝手に優れたチークブラシを提供できる。また、塗付チップ２の塗付面６に複数の溝部７を形成したので、化粧材を塗付層５に保持させる場合に、塗付面６と各溝部７の隣接縁で化粧材を効果的に削ぎ取って、充分な量の化粧材を塗付層５に容易に保持させることができる。とくに、固形の化粧材をチークブラシに保持させる場合に、化粧材を効率良く、しかも軽やかに粉化して、粉化された充分な量の化粧材を塗付層５に速やかに保持させることができる。
【００２９】
チップ本体４はチップ基端４ａ側で厚く、チップ先端４ｂに近づくほど薄く形成するようにしたので、チップ本体４をチップ基端４ａ側では曲がりにくくし、チップ先端４ｂに近づくほど変形抵抗を小さくして、曲がりやすくすることができる。さらに、化粧材を顔肌に塗付する場合には、チップ本体４の中途部からチップ先端４ｂの間の塗付層５で顔肌を払拭して化粧材を塗付することが多いので、肌反力を受けたチップ本体４の湾曲変形を促進して、塗付チップ２に作用する肌反力を吸収し軽減させることができる。従って、チップ本体４が、チップ基端４ａ側からチップ先端４ｂにわたって均一な厚みに形成してある場合に比べて、チップ本体４をより小さな肌反力で湾曲変形させて、化粧ブラシの肌触り感をさらに柔軟でソフトなものとすることができる。
【００３０】
各塗付面６に形成される溝部７を、塗付チップ２の厚み中心を通る仮想中心軸線Ｐと直交する直線溝で形成するようにしたので、肌反力を各塗付面６とほぼ直交する向きに作用させて、チップ本体４を各溝部７において整然と屈曲させることができる。従って、チップ本体４が湾曲変形するときの肌反力を最小限化して、チークブラシの肌触り感をさらに柔軟でソフトなものとすることができる。なお、例えば複数の溝部７が仮想中心軸線Ｐに対して斜めに交差する状態で形成してある場合には、各溝部７と塗付面６を同時に湾曲させる必要があるので、塗付チップ２に作用する肌反力が、塗付面６の湾曲抵抗の分だけ大きくなるのを避けられない。
【００３１】
一方の塗付面６に形成される溝部７と、他方の塗付面６に形成される溝部７を、互い違い状に凹み形成するようにしたので、化粧材を顔肌に塗付するとき、顔肌に接していない側の塗付面６では各溝部７を屈曲収縮させ、顔肌に接している側の塗付面６では各溝部７を拡開させた状態で、チップ本体４を整然と湾曲させることができる。また、屈曲収縮する各溝部７によって、湾曲変形するチップ本体４の肌触り感を柔軟でソフトなものとしながら、拡開状に変形する各溝部７の変形応力で、湾曲変形するチップ本体４に適度の腰の強さを付与することができる。従って、化粧材の顔肌への塗付を、柔軟でソフトな肌触り感を発揮しながら、メリハリの利いた状態で適確に、しかも手早く行うことができる。また、塗付チップ２による粉状の化粧材の保持と、顔肌への塗付を適確に行って、使い勝手に優れた化粧ブラシとすることができる。因みに、一方の塗付面６に形成される溝部７と、他方の塗付面６に形成される溝部７が対向状に形成してある場合には、対向する溝部７の間の肉厚が必要以上に小さくなる。そのため、肌反力を受けたチップ本体４は、顔肌に最も近い位置にある溝部７で折れ曲がりやすくなり、化粧材を顔肌に適確に塗付し、塗り延ばすのが困難となる。
【００３２】
一対の塗付面６のそれぞれを、塗付チップ２の厚み中心を通る仮想中心軸線Ｐに対して、同じ角度で傾斜するように形成したので、チップ本体４を前後に均等に湾曲変形させることが可能となり、使用者は前側の塗付層５と後側の塗付層５を意識しながら区別して使用する必要がなく、どちらの塗付層５であっても、粉状の化粧材を均等に保持させて顔肌に塗付けることができる。
【００３３】
チップ本体４のチップ先端４ｂと、チップ先端４ｂ寄りの溝部７との間に、面状の仕上げ塗付面８を形成したので、顔肌に塗付された粉状の化粧材の塗付部に沿って、仕上げ塗付面８で顔肌を優しく払拭することにより、化粧材の塗付むらをなくすことができる。さらに、粉状の化粧材の塗付部の周縁に沿って、仕上げ塗付面８で顔肌を優しく払拭することにより、化粧材の塗付部の輪郭をぼかして、違和感のない自然な塗付状態に仕上げることができる。
【００３４】
チークブラシをプラスチック製のブラシボディ１と、塗付チップ２で構成し、塗付チップ２をエラストマー製のチップ本体４と、チップ本体４の外面に静電植毛された短繊維からなる塗付層５で構成した。換言すると、水洗いしても機能が損なわれない素材のみで塗付チップ２を形成した。そのため、塗付要素がベルベットで形成してある従来のチップ構造の塗付体とは異なり、チークブラシの全体を問題なく水洗い洗浄できる。従って、塗付し残した粉状の化粧材が短繊維の間に溜まって変質し、嫌な臭いを発生するような場合には、チークブラシの全体を水洗い洗浄することで、粉状の化粧材の全てを除去して、塗付チップ２を常に衛生的な状態に保つことができる。
【００３５】
（実施例２）  図５に本発明の実施例２に係るチークブラシ（化粧ブラシ）を示す。実施例２に係るチークブラシでは、塗付面６と正対する側から見て溝部７を山谷状に形成した。他は実施例１のチップ本体４と同様であるので、同じ部材に同じ符号を付してその説明を省略する。以下の実施例においても同じとする。
【００３６】
上記のように溝部７が山谷状に形成された化粧ブラシによれば、溝部７が直線溝で形成されている場合に比べて、塗付面６における溝部７の全長を大きくできるので、固形の化粧材を溝部７で効果的に削ぎ取って、粉状の化粧材をさらに効果的に塗付層５に保持させることができる。また、チップ本体４が肌反力を受けて湾曲変形するとき、溝部７と塗付面６が同時に湾曲するので、その分だけ化粧ブラシの腰を強くして、柔軟でソフトな肌触り感をある程度備えていながら、腰の強い化粧ブラシを望むユーザーの好みに対応することができる。また、硬軟２種の塗付チップ２を備えた２個の化粧ブラシを用意し、あるいはブラシボディ１の両端に硬軟２種の塗付チップ２が固定してある化粧ブラシを用意しておくことにより、使用者の好みに応じて塗付チップ２を使い分けることができる。
【００３７】
（実施例３）  図６に本発明の実施例３に係るチークブラシ（化粧ブラシ）を示す。実施例３に係るチークブラシでは、塗付面６と正対する側から見て溝部７を連続波形状に形成した。このように溝部７が連続波形状に形成されていると、塗付面６における溝部７の全長を大きくできるので、固形の化粧材を溝部７で効果的に削ぎ取って、粉状の化粧材をさらに効果的に塗付層５に保持させることができる。また、実施例２で説明した化粧ブラシと同様に、チップ本体４が肌反力を受けて湾曲変形するとき、溝部７と塗付面６が同時に湾曲するので、その分だけ化粧ブラシの腰を強くして、柔軟でソフトな肌触り感をある程度備えていながら、腰の強い化粧ブラシを望むユーザーの好みに対応することができる。また、硬軟２種の塗付チップ２を備えた２個の化粧ブラシを用意し、あるいはブラシボディ１の両端に硬軟２種の塗付チップ２が固定してある化粧ブラシを用意しておくことにより、使用者の好みに応じて塗付チップ２を使い分けることができる。
【００３８】
（実施例４）  図７に本発明の実施例４に係るチークブラシ（化粧ブラシ）を示す。そこでは、塗付面６を部分円弧状に形成して、隣接する塗付面６の間に溝部７が形成されるようにした。このように、塗付面６が部分円弧状に形成されていると、塗付チップ２を顔肌に押付けて化粧材を塗付する場合の、塗付面５と顔肌の接触面積が小さくなり、さらに、部分円弧状の塗付面５と顔肌の滑りが促進されるので、塗付チップ２に作用する肌反力を極力小さくして、柔軟でソフトな肌触り感を発揮した状態で、粉状の化粧材の顔肌への塗付を適確に行うことができる。
【００３９】
（実施例５）  図８に本発明の実施例５に係るチークブラシ（化粧ブラシ）を示す。そこでは、チップ本体４の前後厚みをチップ基端４ａ側とチップ先端４ｂ側で同じに設定した。また、溝部７の凹み深さＤをチップ基端４ａ側では浅くし、チップ先端４ｂに近づくにつれ深く設定して、各溝部７の内奥を結ぶ直線を、塗付チップ２の厚み中心を通る仮想中心軸線Ｐに対して同じ角度（５度）で傾斜させて、チップ本体４を前後に均等に湾曲変形できるようにした。このように、チップ本体４の前後厚みがチップ基端４ａ側とチップ先端４ｂ側で同じに設定してある場合でも、溝部７の凹み深さＤをチップ先端４ｂに近づくにつれ深く設定することにより、肌反力を受けたチップ本体４を容易に湾曲変形させて肌反力を吸収させることができる。
【００４０】
（実施例６）  図９に本発明の実施例６に係るチークブラシ（化粧ブラシ）を示す。そこでは、各溝部７を断続する横長の溝要素７ａで形成する点が、実施例１のチークブラシと異なる。溝要素７ａの両端は半円状に丸められており、左右に隣接する溝要素７ａは小さな隙間を介して断続されている。また、実施例１のチップ本体４と同様に、前側の溝部７と後側の溝部７の形成位置を溝ピッチＭの半分だけ上下にずらせて、前側の溝部７と後側の溝部７とを互い違い状に凹み形成するようにしている。このように、各溝部７が断続する横長長円状の溝要素７ａで形成されていると、上下の塗付面６が左右に隣接する溝要素７ａの間で連続するので、塗付チップ２に作用する肌反力が、実施例１の塗付チップ２に作用する肌反力より僅かに大きくなるが、その差は僅かでしかない。そのため、溝部７が直線溝で形成してある実施例１のチークブラシとほぼ同等に湾曲変形させて、チップ本体４を各溝部７において整然と屈曲させることができる。従って、チップ本体４が湾曲変形するときの肌反力を小さくして、チークブラシの肌触り感を柔軟でソフトなものとすることができる。
【００４１】
上記の実施例では、ブラシボディ１をプラスチック成形品で形成したが、その必要はなはなく、アルミニウム板材を絞り成形して形成してあってもよい。ブラシボディ１、および塗付チップ２の外形形状は、化粧ブラシの用途に応じて必要形状に形成してあればよく、実施例で説明した外形形状である必要はない。一対の塗付面６は、塗付チップ２の厚み中心を通る仮想中心軸線Ｐに対して前後対称に傾斜させる必要はなく、異なる角度で傾斜させてあってもよい。溝部７は、塗付面６の片方にのみ形成することができるが、その場合には、溝部７が形成してある側の塗付層５に化粧材を保持させた状態で顔肌に塗付したのち、溝部７が形成されていない側の塗付面６で、顔肌に塗付された塗付部を優しく払拭することにより、化粧材の塗付むらを効果的になくすことができる。なお、本発明の化粧ブラシは、液状の化粧材の塗付用としても利用でき、例えばリップブラシに適用することができる。
【符号の説明】
【００４２】
１  ブラシボディ
２  塗付チップ
４  チップ本体
４ａ  チップ基端
４ｂ  チップ先端
５  塗付層
６  塗付面
７  溝部
８  仕上げ塗付面
【図１】
2020025722.tif 000003
【図２】
2020025722.tif 000004
【図３】
2020025722.tif 000005
【図４】
2020025722.tif 000006
【図５】
2020025722.tif 000007
【図６】
2020025722.tif 000008
【図７】
2020025722.tif 000009
【図８】
2020025722.tif 000010
【図９】
2020025722.tif 000011
【手続補正書】
【提出日】平成30年9月3日(2018.9.3)
【手続補正１】
【補正対象書類名】明細書
【補正対象項目名】０００６
【補正方法】変更
【補正の内容】
【０００６】
本発明に係る化粧ブラシは、ブラシボディ１と、ブラシボディ１で固定支持される塗付チップ２を備えている。塗付チップ２は、エラストマーを素材にして扁平板状に形成されるチップ本体４と、チップ本体４の外面に静電植毛加工を施して形成される塗付層５を備えている。チップ本体４には一対の塗付面６が設けられており、塗付面６のそれぞれに幅方向に連続する複数の溝部７が形成されていることを特徴とする。
【手続補正２】
【補正対象書類名】特許請求の範囲
【補正対象項目名】請求項１
【補正方法】変更
【補正の内容】
【請求項１】
ブラシボディ（１）と、ブラシボディ（１）で固定支持される塗付チップ（２）とを備えており、
塗付チップ（２）は、エラストマーを素材にして扁平板状に形成されるチップ本体（４）と、チップ本体（４）の外面に静電植毛加工を施して形成される塗付層（５）とを備えており、
チップ本体（４）には一対の塗付面（６）が設けられており、塗付面（６）のそれぞれに幅方向に連続する複数の溝部（７）が形成されていることを特徴とする化粧ブラシ。
【手続補正書】
【提出日】平成31年1月29日(2019.1.29)
【手続補正１】
【補正対象書類名】明細書
【補正対象項目名】０００６
【補正方法】変更
【補正の内容】
【０００６】
本発明に係る化粧ブラシは、ブラシボディ１と、ブラシボディ１で固定支持される塗付チップ２を備えている。塗付チップ２は、エラストマーを素材にして扁平板状に形成されるチップ本体４と、チップ本体４の外面に静電植毛加工を施して形成される塗付層５を備えている。チップ本体４には一対の塗付面６が設けられており、塗付面６のそれぞれに幅方向に連続する複数の溝部７が形成されている。一方の塗付面６に形成される溝部７と、他方の塗付面６に形成される溝部７とは、互い違い状に凹み形成されている。
【手続補正２】
【補正対象書類名】明細書
【補正対象項目名】００１０
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
ブラシボディ（１）と、ブラシボディ（１）で固定支持される塗付チップ（２）とを備えており、
塗付チップ（２）は、エラストマーを素材にして扁平板状に形成されるチップ本体（４）と、チップ本体（４）の外面に静電植毛加工を施して形成される塗付層（５）とを備えており、
チップ本体（４）には一対の塗付面（６）が設けられており、塗付面（６）のそれぞれに幅方向に連続する複数の溝部（７）が形成されており、
一方の塗付面（６）に形成される溝部（７）と、他方の塗付面（６）に形成される溝部（７）とが、互い違い状に凹み形成されていることを特徴とする化粧ブラシ。
【請求項２】
チップ本体（４）がチップ基端（４ａ）側で厚く、チップ先端（４ｂ）に近づくほど薄く形成されている請求項１に記載の化粧ブラシ。
【請求項３】
一方の塗付面（６）に形成される溝部（７）と、他方の塗付面（６）に形成される溝部（７）のそれぞれが、塗付チップ（２）の厚み中心を通る仮想中心軸線（Ｐ）と直交する直線溝で形成されている請求項１、または２に記載の化粧ブラシ。
【請求項４】
塗付面（６）と正対する側から見て、溝部（７）が山谷状ないし連続波形状に形成してある請求項１、または２に記載の化粧ブラシ。
【請求項５】
一対の塗付面（６）のそれぞれが、塗付チップ（２）の厚み中心を通る仮想中心軸線（Ｐ）に対して、同じ角度で傾斜するように形成されている請求項２から４のいずれかひとつに記載の化粧ブラシ。
【請求項６】
一対の塗付面（６）に形成される複数の溝部（７）が、チップ基端（４ａ）からチップ先端（４ｂ）寄りにわたって形成されており、
チップ本体（４）のチップ先端（４ｂ）と、チップ先端（４ｂ）寄りの溝部（７）との間に、面状の仕上げ塗付面（８）が形成されている請求項１から５のいずれかひとつに記載の化粧ブラシ。